(57)【要約】      （修正有）【課題】より長期使用可能で信頼性の高い装飾具を提供する。【解決手段】装飾部２と、棒状部３と、を備えた装飾具１であって、前記装飾部は、ウリ科植物の実と、前記ウリ科植物の実に巻き回された色の異なる複数の糸２２と、前記ウリ科植物の実及び複数の糸２２を覆うコーティング層と、を備えることを特徴とする。ウリ科植物の実は、複数の糸２２の下地層として、白色塗料が塗られていることが好ましく、複数の糸２２の一部が棒状部材の少なくとも一部に巻き回されていることが好ましく、棒状部材は、装飾部２の前記ウリ科植物の実に挿されてなることが好ましく、また、ウリ科植物は、瓢箪又は糸瓜であることが好ましい。【選択図】図１
0003201795.tif 000002
【実用新案登録請求の範囲】
【請求項１】
装飾部と、棒状部と、を備えた装飾具であって、
前記装飾部は、ウリ科植物の実と、前記ウリ科植物の実に巻き回された色の異なる複数の糸と、前記ウリ科植物の実及び前記複数の糸を覆うコーティング層と、を備えた装飾具。
【請求項２】
前記ウリ科植物の実は、複数の糸の下地層として、白色塗料が塗られている請求項１記載の装飾具。
【請求項３】
前記複数の糸の一部が前記棒状部材の少なくとも一部に巻き回されている請求項１記載の装飾具。
【請求項４】
前記棒状部材は、前記装飾部の前記ウリ科植物の実に挿されてなる請求項１記載の装飾具。
【請求項５】
前記ウリ科植物は、瓢箪又は糸瓜である請求項１記載の装飾具。
【考案の詳細な説明】
【技術分野】
【０００１】
本考案は、装飾具に関する。より具体的にはウリ科植物の実を備えた装飾具に関する。
【背景技術】
【０００２】
装飾具は、物を装飾するものであって、例えば髪飾りを一例として体に身に着ける装身具、室内オブジェ等のインテリア用品として用いることのできる部材である。
【０００３】
装身具の一例として髪飾りを例示すると、髪飾りは一般に、髪に挿す棒状部とこの棒状部に付される装飾部とを備えているが、棒状部と装飾部とが異なる部材である場合、これらを強固に固定する必要があるものの、装飾部の材質によっては固定が容易でない場合がある。
【考案の概要】
【考案が解決しようとする課題】
【０００４】
瓢箪や糸瓜等のウリ科植物は日本において古くから用いられている植物であって、このうち小型のウリ科植物の実を装飾部の一部に用いることは日本古来の伝統意識の一表現として興味深いものである。
【０００５】
ところで、ウリ科植物の実は硬い外皮に覆われる一方、乾燥させると内部は空隙が多い状態となっている。すなわち、棒状部材をウリ科植物の実に挿入した場合、接触点は貫通部のみとなり、その接触強度は高くなく、使用に伴い取れやすくなってしまうといった課題がある。
【０００６】
そこで、本考案は、上記課題に鑑み、より長期使用可能で信頼性の高い装飾具を提供することを目的とする。
【課題を解決するための手段】
【０００７】
上記課題を解決する一観点に係る装飾具は、装飾部と、棒状部と、を備えた装飾具であって、装飾部は、ウリ科植物の実と、ウリ科植物の実に巻き回された色の異なる複数の糸と、ウリ科植物の実及び複数の糸を覆うコーティング層と、を備えていることを特徴とする。
【０００８】
また、本観点において、限定されるわけではないが、ウリ科植物の実は、複数の糸の下地層として、白色塗料が塗られていることが好ましい。
【０００９】
また、本観点において、限定されるわけではないが、複数の糸の一部が棒状部材の少なくとも一部に巻き回されていることが好ましい。
【００１０】
また、本観点において、限定されるわけではないが、棒状部材は、装飾部の前記ウリ科植物の実に挿されてなることが好ましい。
【００１１】
また、本観点において、限定されるわけではないが、ウリ科植物は、瓢箪又は糸瓜であることが好ましい。
【考案の効果】
【００１２】
本考案によって、長期使用可能で信頼性の高い装飾具を提供することができる。
【図面の簡単な説明】
【００１３】
【図１】本考案に係る装飾具の概略を示す図である。
【図２】本考案に係る装飾具の完成前の概略を示す図である。
【図３】本考案に係る装飾具の一例の写真図である。
【考案を実施するための最良の形態】
【００１４】
以下、本考案の実施形態について図面を用いて詳細に説明する。ただし、本考案は多くの異なる形態による実施が可能であり、以下に示す実施形態の例示に限定されるものではない。
【００１５】
図１は、本考案に係る装飾具１の概略を示す図である。本図で示すように、本髪飾り１は、装飾部２と、棒状部３と、を備えた装飾具であって、装飾部２は、ウリ科植物の実２１と、ウリ科植物の実２１に巻き回された色の異なる複数の糸２２と、ウリ科植物の実及び複数の糸を覆うコーティング層と、を備えている。
【００１６】
図２は、本考案に係る装飾具の完成前の概略を示す図である。図１との違いは、糸２２と、コーティング層を配置していないところにある。すなわち、棒状部材２にウリ科植物の実２１を挿した状態を示している。
【００１７】
本実施形態において、棒状部３は、文字通り棒状の部材であって、限定されるわけではないが、少なくとも一方の先端は鋭利であって、結った髪や支持する部材に挿しやすくなっている。なお、他の先端は特に鋭利でなくても良いが、装飾部２のウリ科植物の実２１に挿しやすくするよう先端が鋭利であることとしても良い。つまり、棒状部材は、装飾部のウリ科植物の実に挿されている。
【００１８】
また本実施形態において、棒状部３は、塗料でコーティングされていることも好ましい。塗料によるコーティングによって美観が増す効果及び腐食を防止する効果がある。
【００１９】
本実施形態において、装飾部２は、上記のとおり、ウリ科植物の実２１と、ウリ科植物の実２１に巻き回された色の異なる複数の糸２２と、ウリ科植物の実及び複数の糸を覆うコーティング層と、を備えている。
【００２０】
本実施形態において、装飾部２において用いられるウリ科植物の実２１は、特に限定されるわけではないが、瓢箪及び糸瓜の少なくともいずれかを用いていることが好ましい。瓢箪や糸瓜は日本古来より用いられているものであり、用いることで日本伝統を色濃く表現することができるとともに、中空にすることが容易で、体積に比べて軽く、しかも軽量であるといった技術的利点もある。
【００２１】
また本実施形態において、ウリ科植物の実２１には、色の異なる複数の糸２２が巻き回されている。色の異なる複数の糸２２を巻きまわすことで、様々な模様を形成することができる。ただし、デザインによっては、同じ色の複数の糸によって巻きまわされていてもよい。
【００２２】
また本実施形態において、複数の糸の一部は、棒状部の少なくとも一部に巻き回されている。ウリ科植物の実２１と棒状部材は、上記したとおり、実が硬い外皮に覆われる一方、乾燥させると内部は空隙が多い状態となっている。すなわち、棒状部材をウリ科植物の実に挿入した場合、接触点は貫通部のみとなり、その接触強度は高くなく、使用に伴い取れやすくなってしまうといった課題がある。これに対し、糸を両者に巻きまわすことで、結びつきを強くすることができる。
【００２３】
また、本実施形態において、ウリ科植物の実は、複数の糸の下地層として、白色塗料が塗られていることが好ましい。このようにすることで、周囲に配置される糸の色を際立たせることが可能となるとともに、ウリ科植物の実の周囲に糸を配置しやすくなるとともに、糸とウリ科植物の実との接触を強くすることができる。
【００２４】
また、本実施形態において、コーティング層は、上記ウリ科植物の実２１及び複数の糸２２を覆うものである。本実施形態においてコーティング層は特に限定されるわけではないが、接着性、透明性及び光沢性を備えていることが好ましい。接着性を備えることで強度を、透明性及び光沢性を備えることで美観を高めることができる。この材料としては特に限定されるわけではないが、例えばエポキシ樹脂等が好適である。
【００２５】
また本実施形態において、コーティング層は、棒状部の少なくとも一部に巻き回されている糸の上にも形成されていることが好ましい。このようにすることで、棒状部と装飾部とを更に強固に固定することができる。特に糸はコーティング層が含浸しやすく、強固な接続を実現できる。
【００２６】
以上、本考案によって、長期使用可能で信頼性の高い装飾具を提供することができる。
【実施例】
【００２７】
ここでは、実際に上記装飾具を実際に作製した。図３は、本実施例に係る装飾具の写真図である。
【００２８】
まず、径約４ｍｍ長さ１５ｃｍの棒を準備する一方、高さ約４ｃｍの小型の瓢箪を準備し、瓢箪に棒を差した。
【００２９】
ついで、白色塗料を瓢箪表面に塗布し、太さ０．５ｍｍの糸を瓢箪に巻きまわし、一部を棒状部にも巻きまわした。
【００３０】
そして、更にこの瓢箪全体及び棒状部にもコーティング材を均一に塗布することで装飾具を完成させた。
【００３１】
この結果、本装飾具は非常に軽量であるとともに光沢を備え、しかも糸に十分コーティング材が含浸しており、強度も高いものであることを確認できた。
【産業上の利用可能性】
【００３２】
本考案は、装飾具として産業上の利用可能性がある。
【図１】
0003201795.tif 000003
【図２】
0003201795.tif 000004
【図３】
0003201795.tif 000005